(57)【要約】【課題】外容器体と内容器体との間に効率良く外気を導入することが可能な吐出容器を提供する。【解決手段】外容器体１０と内容器体２０とを有する二重構造の容器本体２と、容器本体２の口部２ａに装着された吐出キャップ３と、を有し、吐出キャップ３が、キャップ本体４０と、口部２ａの開口を覆う閉塞壁６１と口部２ａの内周面に嵌合するシール部６５ａを備えた筒状壁６５とを有する中栓６０と、閉塞壁６１に設けられた流通孔６４を開閉する逆止弁７０と、キャップ本体４０の頂壁４１と閉塞壁６１との間に内容物の流路を区画形成する筒状の区画壁７３と、を有し、内容器体２０に、外容器体１０と内容器体２０との間に連通するとともに筒状壁６５と内容器体２０との間に連通する外気導入口２６が設けられ、外気導入口２６が、閉塞壁６１に設けられた通気用開口６６を介して通気口４４に連通している吐出容器１。【選択図】図２
2020055553.tif 000002
【特許請求の範囲】
【請求項１】
外容器体と、該外容器体の内側に配置された減容変形自在の内容器体とを有する二重構造の容器本体と、
内容物の吐出口を備え、前記容器本体の筒状の口部に装着された吐出キャップと、を有する吐出容器であって、
前記吐出キャップが、
前記吐出口と外気の通気口とを備えた頂壁と、該頂壁に連なる筒状の側壁とを有し、前記口部を覆うキャップ本体と、
前記キャップ本体に固定されて前記口部の開口を覆う閉塞壁と、前記口部の内周面に嵌合するシール部を備えた筒状壁とを有し、前記閉塞壁に前記吐出口に連なる流通孔が設けられた中栓と、
前記内容器体の内部から前記流通孔を通して前記吐出口に向けた内容物の流れを許容するように前記流通孔を開閉する逆止弁と、
前記頂壁と前記閉塞壁との間に設けられ、前記頂壁と前記閉塞壁との間に前記吐出口と前記流通孔とを連ねる内容物の流路を区画形成する筒状の区画壁と、を有し、
前記内容器体に、前記外容器体と前記内容器体との間に連通するとともに前記シール部よりも前記閉塞壁の側において前記筒状壁と前記内容器体との間に連通する外気導入口が設けられ、
前記外気導入口が、前記閉塞壁に設けられた通気用開口を介して前記通気口に連通していることを特徴とする、吐出容器。
【請求項２】
前記内容器体が、前記口部を構成する筒状の内口部と該内口部の上端に連なる拡径部分とを有し、前記外気導入口が前記内口部と前記拡径部分との間に設けられている、請求項１に記載の吐出容器。
【請求項３】
前記通気用開口と前記通気口との間に空気用逆止弁が設けられている、請求項１または２に記載の吐出容器。
【請求項４】
前記側壁の内周面に一体に設けられ、それぞれ径方向内側に突出するとともに上下方向に延びる複数本の縦リブと、
前記口部の外周面に一体に設けられ、複数本の前記縦リブに食い込んで前記吐出キャップを前記口部に対して抜止め保持するとともに、前記吐出キャップが前記口部に対して相対回転したときに複数本の前記縦リブに食い込んだ食込み部に沿って相対移動して前記吐出キャップに上方に向けた押上げ力を加えるねじ部と、を有する、請求項１〜３の何れか１項に記載の吐出容器。
【請求項５】
前記キャップ本体が、前記外容器体よりも軟質の合成樹脂材料で形成されている、請求項４に記載の吐出容器。
【請求項６】
前記キャップ本体が、ポリプロピレン樹脂製またはポリエチレン樹脂製である、請求項５に記載の吐出容器。
【請求項７】
前記容器本体が、ポリエチレンテレフタレート樹脂製である、請求項１〜６の何れか１項に記載の吐出容器。
【発明の詳細な説明】
【技術分野】
【０００１】
本発明は、外容器体と内容器体とを備えた二重構造の容器本体と、容器本体の口部に装着される吐出キャップとを備えた吐出容器に関する。
【背景技術】
【０００２】
従来、化粧水などの化粧料、シャンプー、リンス、液体石鹸、食品調味料あるいは薬品などを内容物として収容する容器として、外容器体と内容器体とを備えた二重構造の容器本体と、容器本体の口部に装着される吐出キャップとを備え、吐出キャップのキャップ本体に設けた吐出口から内容物を吐出するようにした吐出容器が知られている（例えば特許文献１参照）。
【０００３】
このような吐出容器では、キャップ本体の頂壁に外気の通気口が設けられ、容器本体の口部には、通気口からキャップ本体の内部に取り込んだ外気を外容器体と内容器体との間に導入するための外気導入口が設けられている。また、キャップ本体の内側には、口部の開口を覆う閉塞壁に内容物の流通孔を備えた中栓が装着されており、キャップ本体と中栓の間には、内容器体の内部から流通孔を通して吐出口に向けた内容物の流出を許容するように流通孔を開閉する逆止弁が設けられている。これにより、吐出口から内容物を吐出させた後、逆止弁によって吐出口から内容器体の内部への外気の流入を阻止しつつ外気導入口を通して外容器体と内容器体の間に外気を導入して、外容器体を元の形状に保持したまま内容器体のみを減容変形させることができる。よって、内容器体に収容されている内容物を外気と置換させることなく吐出させて、内容器体の内部に残った内容物を空気と接触し難くし、その劣化や変質を抑制することができる。
【先行技術文献】
【特許文献】
【０００４】
【特許文献１】特開２０１８−１２２８６０号公報
【発明の概要】
【発明が解決しようとする課題】
【０００５】
上記構成を有する吐出容器では、外容器体を元の形状に保持したまま内容器体のみを確実に減容変形させるために、外気導入口を通して外容器体と内容器体との間に効率良く外気を導入することが可能な構成とするのが好ましい。
【０００６】
しかし、上記従来の吐出容器では、外気導入口を外容器体に設けて口部の外周面に開口させ、キャップ本体の頂壁に設けた通気口から取り込んだ外気を、キャップ本体と口部の外周面との間やキャップ本体と中栓との間などに設けた外気導入用の流路を通して外気導入口にまで導くようにしているので、外気が通る流路の経路が複雑になるとともに流路の断面積が小さくなり、外容器体と内容器体との間に効率良く外気を導入する構成とすることが困難であるという問題点があった。
【０００７】
本発明は、このような問題点を解決することを課題とするものであり、その目的は、外容器体と内容器体との間に効率良く外気を導入することが可能な吐出容器を提供することにある。
【課題を解決するための手段】
【０００８】
本発明の吐出容器は、外容器体と、該外容器体の内側に配置された減容変形自在の内容器体とを有する二重構造の容器本体と、内容物の吐出口を備え、前記容器本体の筒状の口部に装着された吐出キャップと、を有する吐出容器であって、前記吐出キャップが、前記吐出口と外気の通気口とを備えた頂壁と、該頂壁に連なる筒状の側壁とを有し、前記口部を覆うキャップ本体と、前記キャップ本体に固定されて前記口部の開口を覆う閉塞壁と、前記口部の内周面に嵌合するシール部を備えた筒状壁とを有し、前記閉塞壁に前記吐出口に連なる流通孔が設けられた中栓と、前記内容器体の内部から前記流通孔を通して前記吐出口に向けた内容物の流れを許容するように前記流通孔を開閉する逆止弁と、前記頂壁と前記閉塞壁との間に設けられ、前記頂壁と前記閉塞壁との間に前記吐出口と前記流通孔とを連ねる内容物の流路を区画形成する筒状の区画壁と、を有し、前記内容器体に、前記外容器体と前記内容器体との間に連通するとともに前記シール部よりも前記閉塞壁の側において前記筒状壁と前記内容器体との間に連通する外気導入口が設けられ、前記外気導入口が、前記閉塞壁に設けられた通気用開口を介して前記通気口に連通していることを特徴とする。
【０００９】
本発明の吐出容器は、上記構成において、前記内容器体が、前記口部を構成する筒状の内口部と該内口部の上端に連なる拡径部分とを有し、前記外気導入口が前記内口部と前記拡径部分との間に設けられているのが好ましい。
【００１０】
本発明の吐出容器は、上記構成において、前記通気用開口と前記通気口との間に空気用逆止弁が設けられているのが好ましい。
【００１１】
本発明の吐出容器は、上記構成において、前記側壁の内周面に一体に設けられ、それぞれ径方向内側に突出するとともに上下方向に延びる複数本の縦リブと、前記口部の外周面に一体に設けられ、複数本の前記縦リブに食い込んで前記吐出キャップを前記口部に対して抜止め保持するとともに、前記吐出キャップが前記口部に対して相対回転したときに複数本の前記縦リブに食い込んだ食込み部に沿って相対移動して前記吐出キャップに上方に向けた押上げ力を加えるねじ部と、を有するのが好ましい。
【００１２】
本発明の吐出容器は、上記構成において、前記キャップ本体が、前記外容器体よりも軟質の合成樹脂材料で形成されているのが好ましい。
【００１３】
本発明の吐出容器は、上記構成において、前記キャップ本体が、ポリプロピレン樹脂製またはポリエチレン樹脂製であるのが好ましい。
【００１４】
本発明の吐出容器は、上記構成において、前記容器本体が、ポリエチレンテレフタレート樹脂製であるのが好ましい。
【発明の効果】
【００１５】
本発明によれば、外容器体と内容器体との間に効率良く外気を導入することが可能な吐出容器を提供することができる。
【図面の簡単な説明】
【００１６】
【図１】本発明の一実施の形態である吐出容器の一部切欠き正面図である。
【図２】図１に示す吐出容器の要部の拡大断面図である。
【図３】プリフォーム組立体の一部切欠き正面図である。
【図４】図１に示す吐出容器の吐出キャップを口部に対して相対回転させた状態における断面図である。
【発明を実施するための形態】
【００１７】
以下、図面を参照しつつ本発明をより具体的に例示説明する。
【００１８】
図１、図２に示す本発明の一実施の形態である吐出容器１は、例えば醤油等の食品調味料を内容物（内容液）として収容する用途に用いられるスクイズ式のものであり、容器本体２と、容器本体２の円筒状の口部２ａに装着された吐出キャップ３とを備えている。
【００１９】
なお、本明細書及び特許請求の範囲においては、上下方向は、図１に示すように、吐出容器１を容器本体２に対して吐出キャップ３が上方に位置する正立姿勢とした状態における上下方向を意味するものとする。また、径方向は、吐出容器１の軸心Ｏを通るとともに軸心Ｏに垂直な直線に沿う方向を意味するものとする。
【００２０】
容器本体２は、外容器体１０と、外容器体１０の内側に収容された内容器体２０とを有する二重構造となっている。本実施の形態では、容器本体２は積層剥離容器（デラミネーション容器）に構成されている。
【００２１】
外容器体１０は容器本体２の外殻を構成する部分であり、容器本体２の円筒状の口部２ａの外殻部分を構成する円筒状の外口部１１と、外口部１１の下端に一体に連なる胴部１２とを備えたボトル形状となっている。
【００２２】
外口部１１の下端にはネックリング１３が一体に設けられている。ネックリング１３は外口部１１の全周に亘って円環状に延びており、外口部１１の外周面から径方向外側に向けて突出している。
【００２３】
胴部１２は、外口部１１の下端に一体に連なるとともに下方に向けて徐々に拡径して外口部１１に対して径方向外側に向けて張り出す肩状部分１２ａと、肩状部分１２ａの下端に一体に連なるとともに若干括れた部分を有する略円筒状の胴本体部分１２ｂと、胴本体部分１２ｂの下端を閉塞する底部分１２ｃとを有している。
【００２４】
胴本体部分１２ｂは可撓性を有しており、スクイズ（押圧）されることで弾性変形して径方向内側に向けて凹むことができるとともに、当該弾性力によって凹んだ状態から元の形状に自力で復元することができる。胴本体部分１２ｂをスクイズにより弾性変形可能な構成としたことにより、内容物の吐出操作を容易に行い得るようにすることができる。
【００２５】
肩状部分１２ａには、上下方向に延びる複数（１８本）の凹リブ１４が周方向の全周に亘って等間隔に並べて設けられている。なお、図１においては、便宜上、１つの凹リブ１４にのみ符号を付している。なお、凹リブ１４を設けない構成とすることもできる。
【００２６】
図２に示すように、外口部１１のネックリング１３よりも上方側の上端側部分における外周面には、口部側シール部１５が一体に設けられている。口部側シール部１５は、外口部１１の全周に亘って円環状に延びるとともに外口部１１の外周面から径方向外側に向けて突出している。
【００２７】
また、口部２ａの外周面すなわち外口部１１のネックリング１３と口部側シール部１５との間における外周面には、ねじ部１６が一体に設けられている。ねじ部１６は、外口部１１の外周面から径方向外側に向けて突出するとともに当該外周面に沿って螺旋状に延びる雄ねじとなっており、その断面形状は、径方向外側を向く先端が鋭角な三角形状となっている。本実施の形態においては、ねじ部１６は二条ねじとして設けられているが、例えば一条ねじとするなど、その条数は種々変更可能である。
【００２８】
図１に示すように、内容器体２０は、容器本体２の円筒状の口部２ａの内側部分を構成する円筒状の内口部２１と、内口部２１の下端に一体に連なる収容部２２とを有し、外容器体１０の内側に配置されている。
【００２９】
図２に示すように、内口部２１は外口部１１よりも小径となっており、外口部１１の内側に当該外口部１１と同軸に配置されている。外口部１１の内周面と内口部２１の外周面との間には所定の間隔の隙間２３が設けられている。内口部２１の上端は円筒状の拡径部分２４となっており、拡径部分２４の外周面が外口部１１の内周面に全周に亘って当接している。これにより、外口部１１と内口部２１との間の隙間２３は、外口部１１ないし内口部２１の上端部分において外部に対して閉塞されている。拡径部分２４の上端には径方向外側に向けて延びる円環状のフランジ部２５が一体に設けられ、フランジ部２５が外口部１１の上端に当接することで内口部２１は外口部１１に対して軸方向に位置決めされている。
【００３０】
内容器体２０には、複数の外気導入口２６が設けられている。これらの外気導入口２６は、それぞれ内容器体２０の内口部１１と拡径部分２４との間の部分に設けられ、内容器体２０を径方向に貫通する貫通孔となっている。これらの数の外気導入口２６は、それぞれ外容器体１０と内容器体２０との間に連通しており、これらの外気導入口２６を通して外容器体１０と内容器体２０との間に外気を導入することができる。
【００３１】
本実施の形態においては、内容器体２０、軸心Ｏを挟んで対向する一対の外気導入口２６を設けるようにしているが、少なくとも１つの外気導入口２６が設けられていれば、内容器体２０に設ける外気導入口２６の数は種々変更可能である。
【００３２】
図１に示すように、収容部２２は胴部１２よりも薄肉で柔軟性を有する袋状に形成され、胴部１２の内面に剥離可能に積層されている。収容部２２の内部は内容物の収容空間Ｓとなっており、内口部２１を通して収容部２２に内容物を充填することができるとともに内口部２１を通して収容部２２に収容されている内容物を外部に吐出することができる。収容部２２は減容変形自在となっており、内容物の注出に伴って胴部１２の内面から剥離しつつ減容変形（内容積を減少させるように変形）することができる。収容部２２の減容変形に伴い、外気導入口２６から外容器体１０と内容器体２０との間に外気が導入されることで、胴本体部分１２ｂを元の形状に維持ないし復元させたまま、収容部２２のみを胴部１２の内面から容易に剥離させて減容変形させることができる。
【００３３】
図２に示すように、外気導入口２６から胴部１２と収容部２２との間に向けた外気の気道を確保するために、内口部２１の外周面には、複数本のスペーサリブ２７が周方向に間隔を空けて並べて設けられている。なお、スペーサリブ２７は、外口部１１の内周面に設けるようにしてもよく、外口部１１と内口部２１の何れにもスペーサリブ２７を設けない構成としてもよい。
【００３４】
外容器体１０及び内容器体２０は、何れも、ポリエチレンテレフタレート樹脂（ＰＥＴ）製となっている。すなわち、容器本体２はポリエチレンテレフタレート樹脂製となっている。容器本体２をポリエチレンテレフタレート樹脂製とすることで、容器本体２を軽量で透明性が高く、且つリサイクル性の高い容器とすることができる。
【００３５】
上記構成の容器本体２は、図３に示すプリフォーム組立体３０をブロー成形して形成されたブロー成形品となっている。プリフォーム組立体３０は、外容器体１０を形成するためのポリエチレンテレフタレート樹脂製の外プリフォーム３１の内側に、内容器体２０を形成するためのポリエチレンテレフタレート樹脂製の内プリフォーム３２を組み込んだ二重構造となっている。
【００３６】
外プリフォーム３１は、射出成形型を用いてポリエチレンテレフタレート樹脂を射出成形することにより、外容器体１０の外口部１１と同一形状の外口部１１と、外口部１１の下端に連なりブロー成形により延伸される有底円筒状の延伸部３１ａとを有する略試験管形状に形成されている。なお、外プリフォーム３１は、外容器体１０と同一形状の外口部１１を有しているので、外プリフォーム３１においても外口部１１を構成する各部に図２と同一の符号を付してある。
【００３７】
内プリフォーム３２は、射出成形型を用いてポリエチレンテレフタレート樹脂を射出成形することにより、内容器体２０の内口部２１と略同一形状の内口部２１と、内口部２１の下端に連なりブロー成形により延伸される有底円筒状の延伸部３２ａとを有する略試験管形状に形成されている。なお、内プリフォーム３２は、内容器体２０と同一形状の内口部２１を有しているので、内プリフォーム３２においても内口部２１を構成する各部に図２と同一の符号を付してある。
【００３８】
このような構成のプリフォーム組立体３０をブロー成形することにより、図１に示す容器本体２を容易に形成することができる。本実施の形態においては、ブロー成形として二軸延伸ブロー成形が採用されている。
【００３９】
ここで、本実施の形態では、外気導入口２６を、内容器体２０の内口部１１と拡径部分２４との間の部分に内容器体２０を径方向に貫通する貫通孔として設けるようにしているので、内プリフォーム３２の軸心に沿って相対移動する上型と下型とを備えた射出成形型を用いた射出成形によって、外気導入口２６を備えた内プリフォーム３２を容易に形成することができる。すなわち、上型と下型との内プリフォーム３２の軸心に垂直な合わせ面の一部を内口部１１と拡径部分２４との間の部分に設けることで、内プリフォーム３２に、拡径部分２４の側における内面が内プリフォーム３２の軸心に垂直であるとともに内口部２１の側における内面が内プリフォーム３２の軸心に平行となる形状の外気導入口２６を形成することができる。そして、当該形状の外気導入口２６を有する内プリフォーム３２を外プリフォーム３１に組み込んだプリフォーム組立体３０をブロー成形することにより、内容器体２０に外気導入口２６を備えた容器本体２を容易に形成することができる。
【００４０】
次に、吐出キャップ３の構成について説明する。
【００４１】
図２に示すように、吐出キャップ３はキャップ本体４０を備えている。キャップ本体４０は、頂壁４１と、この頂壁４１の外周縁に一体に連なる円筒状の側壁４２とを備えた略有頂円筒状に形成されており、口部２ａに装着されて口部２ａを覆っている。
【００４２】
頂壁４１には内容物の吐出口４３が一体に設けられている。吐出口４３は、内容器体２０の収容空間Ｓに収容されている内容物を外部に吐出することができる。本実施の形態においては、吐出口４３は、頂壁４１から上方に向けて徐々に拡径しながら外向きに湾曲する筒状に形成されているが、その形状や大きさは、収容空間Ｓに収容される内容物や用途等に応じて種々変更可能である。
【００４３】
側壁４２の内周面は、口部側シール部１５の外周端に全周に亘って当接している。これにより、側壁４２と外口部１１との間は外部に対して気密に密封されている。すなわち、キャップ本体４０の側壁４２と口部２ａとの間は外部に対して密封されている。
【００４４】
頂壁４１には外気の通気口４４が設けられている。通気口４４はキャップ本体４０の内部に連通しており、通気口４４を通して外部からキャップ本体４０の内側に外気を取り込むことができる。
【００４５】
キャップ本体４０は、蓋体５０を一体に備えた構成とすることができる。蓋体５０は、キャップ本体４０と略同径の有頂円筒状に形成され、外周面の一部においてヒンジ５１を介してキャップ本体４０に開閉自在に連結されている。蓋体５０は、その天壁５２の内面に筒状の栓部材５３を一体に備えている。栓部材５３は、蓋体５０がキャップ本体４０の上方を覆う閉位置とされると、吐出口４３の内周面に嵌合して吐出口４３を閉塞する。また、天壁５２の内面には、栓部材５３の外側を覆う円筒状突起５４が設けられている。
【００４６】
蓋体５０は、その開口縁の内周に設けられた係止溝５５が頂壁４１の外周縁に設けられた突起部分にアンダーカット係合することにより、キャップ本体４０の頂壁４１を覆った閉状態に保持される。一方、蓋体５０は、ヒンジ５１を中心として回動することで開状態とされる。蓋体５０が開状態となると、栓部材５３が吐出口４３から離脱して、吐出口４３が内容物を吐出可能な状態に開放される。
【００４７】
キャップ本体４０は、外容器体１０よりも軟質の合成樹脂材料で形成されるのが好ましい。本実施の形態では、外容器体１０がポリエチレンテレフタレート樹脂製であるのに対し、キャップ本体４０はポリプロピレン樹脂製となっている。キャップ本体４０は、外容器体１０よりも軟質の合成樹脂材料であれば、ポリプロピレン樹脂製に限らず、例えばポリエチレン製とすることもできる。
【００４８】
キャップ本体４０の内側には中栓６０が装着されている。
【００４９】
中栓６０は、キャップ本体４０に固定されて口部２ａないし内口部２１の開口を覆う閉塞壁６１を有している。閉塞壁６１は略円板状に形成されており、その外周縁には上方に向けて起立する円筒状の係合壁６２が一体に設けられている。係合壁６２は、上端がキャップ本体４０の頂壁４１の下面に当接するとともに下端がキャップ本体４０の側壁４２の内周面に設けられた係止突起４５に係止されている。これにより、閉塞壁６１は、係合壁６２を介して、頂壁４１との間に上下方向に所定の間隔を空けた状態となって、キャップ本体４０に固定されている。また、中栓６０は、側壁４２と係合壁６２との間に設けられたスプライン状の回り止め部６３によって、キャップ本体４０に対して回り止めされている。
【００５０】
閉塞壁６１には、内容物の流出孔６４が設けられている。流出孔６４は、閉塞壁６１と頂壁４１との間の空間を介して吐出口４３に連なっており、収容空間Ｓに収容されている内容物を吐出口４３に向けて流出させることができる。
【００５１】
閉塞壁６１の下面には、当該下面から下方に向けて突出する円筒状の筒状壁６５が一体に設けられている。筒状壁６５の下端側部分はシール部６５ａとなっている。シール部６５ａは、その外周面において、口部２ａないし内口部２１の拡径部分２４よりも下側における内周面に全周に亘って液密に嵌合している。
【００５２】
内容器体２０の上端すなわちフランジ部２５は閉塞壁６１の下面に当接しており、内容器体２０と筒状壁６５のシール部６５ａよりも閉塞壁６１の側（上方側）の部分との間は、筒状壁６５を取り囲むように延びる環状の下側外気流通路Ｐ１となっている。このように、内容器体２０に設けられた外気導入口２６は、シール部６５ａよりも閉塞壁６１の側において、筒状壁６５と内容器体２０との間に設けられた下側外気流通路Ｐ１に連通している。
【００５３】
中栓６０には、合成樹脂材料ないしエラストマー等によって形成された逆止弁７０が装着されている。逆止弁７０は、弁本体７１、複数の脚部７２及び区画壁７３を備えている。弁本体７１は、板状（円板状）に形成され、閉塞壁６１の頂壁４１の側を向く上面に配置されて流出孔６４を閉塞している。区画壁７３は、円筒状に形成されて頂壁４１と閉塞壁６１との間に配置され、頂壁４１と閉塞壁６１とに嵌合保持されている。複数の脚部７２は、それぞれ弾性変形自在に形成されて弁本体７１と区画壁７３とを連結している。本実施の形態では、逆止弁７０は、３本の脚部７２によって弁本体７１が区画壁７３に支持された３点弁となっている。このような構成により、弁本体７１は、閉塞壁６１の上面に対して接近・離反する方向に移動して、収容空間Ｓから流出孔６４を通して吐出口４３に向けた内容物の流出を許容するとともに吐出口４３から流出孔６４を通して収容空間Ｓに向けた内容物や外気の流入を阻止するように、流出孔６４を開閉することができる。したがって、内容物の吐出後に、胴本体部分１２ｂの復元に伴って吐出口４３から内容器体２０の内部に外気が流入することを防止して、内容器体２０の収容空間Ｓに収容されている内容物を空気に触れづらくして、その品質の劣化を抑制することができる。
【００５４】
頂壁４１と閉塞壁６１との間に設けられた区画壁７３により、頂壁４１と閉塞壁６１との間に、吐出口４３と流出孔６４とを連ねる内容物の流路Ｐ２が区画形成されている。また、頂壁４１と閉塞壁６１との間の空間の区画壁７３の外側の部分は、通気口４４に連なる上側外気流通路Ｐ３となっている。すなわち、頂壁４１と閉塞壁６１との間の空間は、区画壁７３の内側の内容物の流路Ｐ２と、区画壁７３の外側の上側外気流通路Ｐ３とに区画されている。
【００５５】
閉塞壁６１には、下側外気流通路Ｐ１と上側外気流通路Ｐ３とを連通させる複数の通気用開口６６が設けられている。したがって、内容器体２０に設けられた外気導入口２６は、下側外気流通路Ｐ１、通気用開口６６及び上側外気流通路Ｐ３を介して通気口４４に連通している。
【００５６】
通気口４４と通気用開口６６との間には、通気口４４と外気導入口２６との間の外気の流路を開閉する空気用逆止弁７４が設けられている。空気用逆止弁７４は区画壁７３の外周面に一体に連なる傘状に形成され、通気口４４からキャップ本体４０の内部を通した外気導入口２６への外気ないし空気の流れを許容するとともに、外気導入口２６からキャップ本体４０の内部を通した通気口４４への空気の流れを阻止するように作動する。
【００５７】
本実施の形態では、空気用逆止弁７４を通気口４４と通気用開口６６との間に設けるようにしたので、空気用逆止弁７４を区画壁７３の外周面に一体に連ねて設けることを可能として、この吐出容器１の構成を簡素化し、コストを低減することができる。
【００５８】
内容物を吐出するために容器本体２の胴本体部分１２ｂをスクイズする際には、空気用逆止弁７４が閉じることで、外容器体１０と内容器体２０との間に空気を保持して内容器体２０から内容物を容易に押し出すことができる。また、内容物の吐出後に胴本体部分１２ｂのスクイズを解除したときには、空気用逆止弁７４が開くことで、通気口４４から外気導入口２６を通して外容器体１０と内容器体２０との間に外気が導入されるようにして、内容器体２０を減容変形させたまま外容器体１０の胴本体部分１２ｂを元の形状に容易に復元させることができる。
【００５９】
このとき、本実施の形態の吐出容器１では、外気導入口２６を内容器体２０に設け、シール部６５ａよりも閉塞壁６１の側において中栓６０筒状壁６５と内容器体２０との間に設けた下側外気流通路Ｐ１と、中栓６０の閉塞壁６１に設けた通気用開口６６と、閉塞壁６１とキャップ本体４０の頂壁４１との間に設けられた上側外気流通路Ｐ３とを介して外気導入口２６を通気口４４に連通させるようにしたので、外気が通る流路の経路を簡素化するとともに流路の断面積を大きく設定することを可能として、通気口４４から導入した外気を、外気導入口２６を通して外容器体１０と内容器体２０との間に効率良く導入することができる。これにより、内容器体２０を減容変形させたまま外容器体１０の胴本体部分１２ｂを元の形状により容易かつ迅速に復元させることができるので、容器本体２に積層剥離容器としての機能をより効果的に発揮させることができる。
【００６０】
閉塞壁６１の下面には、流出孔６４に対してヒンジ５１とは反対側に位置して、収容空間Ｓに向けて延在する円筒状の弁体保持壁６７が一体に設けられている。弁体保持壁６７は下端が下方に向かうに従って内径が狭まるように縮径した形状を有し、その内部には、鋼材や樹脂等により球状（ボール）に形成された弁体６８が上下方向に移動自在に配置されている。
【００６１】
容器本体２が吐出口４３を下方に向けた傾倒姿勢とされると、弁体６８は、図２において２点鎖線で示すように、弁体保持壁６７の内部を吐出口４３の側に向けて移動する。そして、内容物が注出された後、吐出口４３が上方を向くように容器本体２が正立姿勢に戻されると、弁体６８は弁体保持壁６７の内部を下方に向けて縮径部分に当接する位置（図２において実線で示す位置）まで移動して吐出口４３内に残った内容物を弁体保持壁６７の内部に向けて吸引する。これにより、内容物の吐出後に、吐出口４３の内部の残る内容物の残量を減らして、吐出口４３から内容物が垂れ落ちることを防止することができる。すなわち、弁体保持壁６７及び弁体６８はサックバック機構として機能する。
【００６２】
キャップ本体４０の側壁４２の内周面には、複数本の縦リブ４６が周方向に等間隔に並べて一体に設けられている。複数本の縦リブ４６は、それぞれ側壁４２の内周面から径方向内側に向けて突出するとともに上下方向（縦方向）に沿って延びている。また、それぞれの縦リブ４６の下端は、徐々に突出高さが小さくなるように緩やかに傾斜している。
【００６３】
複数本の縦リブ４６の径方向内側における先端部分を通る仮想円の直径は、外口部１１の外周面に形成されているねじ部１６の径方向外側の先端部分を通る仮想円の直径よりも小さくなっている。したがって、ねじ部１６の先端部分は、複数本の縦リブ４６のそれぞれに食い込んでいる。複数本の縦リブ４６のねじ部１６が食い込んだ部分は食込み部４６ａとなっている。ねじ部１６が複数本の縦リブ４６のそれぞれに食い込むことで、キャップ本体４０すなわち吐出キャップ３は、容器本体２の口部２ａに対して抜け止め保持されている。
【００６４】
キャップ本体４０、中栓６０及び逆止弁７０を有する吐出キャップ３は、容器本体２の口部２ａに打栓によって装着される。吐出キャップ３が容器本体２の口部２ａに打栓されると、外口部１１の外周面に設けられたねじ部１６が側壁４２の内周面に設けられた複数本の縦リブ４６を上方から下方に向けて順次弾性変形させながら所定位置にまで移動する。そして、図２に示すように、吐出キャップ３が口部２ａの所定位置にまで打栓されると、ねじ部１６が複数本の縦リブ４６に食い込んだ状態となって口部２ａに抜け止め保持された状態となる。このとき、ねじ部１６が食い込んだ複数本の縦リブ４６には食込み部４６ａが転写される。
【００６５】
特に、本実施の形態では、キャップ本体４０を、容器本体２の外容器体１０よりも軟質の合成樹脂製としたので、容器本体２の外口部１１と一体に形成されたねじ部１６を、キャップ本体４０と一体に形成された縦リブ４６に確実に食い込ませることができる。
【００６６】
本実施の形態の吐出容器１では、吐出キャップ３を容器本体２の口部２ａに打栓によって装着する構成としたので、高い不正開封防止効果を得ることができる。特に、吐出キャップ３を容器本体２とともにシュリンクラベル等の包装材で覆うことにより、より高い不正開封防止効果を得ることができる。一方、本実施の形態の吐出容器１では、吐出キャップ３を容器本体２の口部２ａに打栓によって装着する構成としつつ、容器本体２の外口部１１の外周面にねじ部１６を設けるとともに、キャップ本体４０の側壁４２の内周面に複数本の縦リブ４６を設け、吐出キャップ３が口部２ａに打栓されたときに、ねじ部１６が複数本の縦リブ４６に食い込んでそれぞれの縦リブ４６に食込み部４６ａが転写されるようにしたので、吐出キャップ３を口部２ａに対して相対回転させるだけの簡単な操作で、吐出キャップ３を容器本体２の口部２ａから容易に取り外すことができる。
【００６７】
すなわち、図２に示すように、吐出キャップ３を容器本体２の口部２ａに打栓した状態では、複数本の縦リブ４６には、ねじ部１６が食い込むことによって食込み部４６ａが転写されているので、図４に示すように、この状態から吐出キャップ３を口部２ａに対して相対回転させると、ねじ部１６が食込み部４６ａに沿って回転方向に相対移動して、キャップ本体４０を介して吐出キャップ３に上方に向けた押上げ力が加えられることになる。すなわち、ねじ部１６が複数の縦リブ４６に食い込んで縦リブ４８に食込み部４６ａが転写されることによって、吐出キャップ３はキャップ本体４０の側壁４２の部分において簡易的に口部２ａに対してねじ結合された状態となるので、吐出キャップ３を口部２ａに対して当該ねじ結合を緩める方向に相対回転させることで、吐出キャップ３を口部２ａに対して相対的に上方に向けて押し上げることができる。そして、ねじ部１６が全ての食込み部４６ａから離脱するまで吐出キャップ３を口部２ａに対して相対回転させることで、食込み部４６ａとねじ部１６との係合を解除して、吐出キャップ３を口部２ａから取り外すことができる。
【００６８】
このように、吐出キャップ３を口部２ａに対して相対回転させるだけの簡単な操作で、吐出キャップ３を容器本体２の口部２ａから容易に取り外すことができる。したがって、吐出キャップ３を打栓によって容器本体２の口部２ａに装着される高い不正開封防止効果を有する構成としつつ、容器本体２の口部２ａから吐出キャップ３を容易に取り外すことができるようにして、容器本体２をリサイクルする際における、吐出キャップ３を容器本体２から分別する作業を容易にすることができる。
【００６９】
また、外口部１１の外周面にねじ部１６を設け、側壁４２の内周面に複数本の縦リブ４６を設けるようにしたので、例えば外容器体１０をポリエチレンテレフタレート樹脂製としつつ、キャップ本体４０をポリプロピレン樹脂製またはポリエチレン樹脂製とするなど、キャップ本体４０を外容器体１０よりも軟質の合成樹脂材料で形成することが容易である。
【００７０】
本発明は前記実施の形態に限定されるものではなく、その要旨を逸脱しない範囲で種々変更可能であることはいうまでもない。
【００７１】
例えば、前記実施の形態では、容器本体２は、積層剥離容器とされているが、これに限らず、例えば、外容器体１０の内部に外容器体１０とは別に形成された内容器体２０を組み込んだ二重容器とすることもできる。
【００７２】
また、前記実施の形態では、外容器体１０をポリエチレンテレフタレート樹脂製とし、キャップ本体４０をポリプロピレン樹脂製またはポリエチレン樹脂製としているが、これに限らず、キャップ本体４０が外容器体１０よりも軟質の合成樹脂材料製であれば、それぞれ他の合成樹脂材料製とすることもできる。
【００７３】
さらに、前記実施の形態では、複数本の縦リブ４６を、上下方向（縦方向）に延びる形状としているが、これに限らず、上下方向に対して傾斜して延びる形状としてもよい。また、縦リブ４６を、当該縦リブ４６を上下方向に分断する間欠部を備えた構成としてもよい。
【００７４】
さらに、縦リブ４６及びねじ部１６を設けることなく、吐出キャップ３を、キャップ本体４０の側壁４２の内周面に設けた雌ねじを口部２ａの外周面に設けた雄ねじにねじ結合させて口部２ａに装着する構成としてよい。あるいは、縦リブ４６及びねじ部１６を設けることなく、吐出キャップ３を、キャップ本体４０の側壁４２の内周面に設けた係止突起を口部２ａの外周面に設けた係止突起にアンダーカット係合させて口部２ａに装着する構成としてよい。
【００７５】
さらに、前記実施の形態では、吐出容器１として、醤油等の食品調味料を内容物（内容液）として収容する用途に用いられるものを例示したが、内容物として、例えば化粧水などの化粧料、シャンプー、リンス、液体石鹸あるいは薬品などの種々のものを収容する用途に用いられる吐出容器に本願発明を適用することもできる。
【符号の説明】
【００７６】
１    吐出容器
２    容器本体
２ａ  口部
３    吐出キャップ
１０    外容器体
１１    外口部
１２    胴部
１２ａ  肩状部分
１２ｂ  胴本体部分
１２ｃ  底部分
１３    ネックリング
１４    凹リブ
１５    口部側シール部
１６    ねじ部
２０    内容器体
２１    内口部
２２    収容部
２３    隙間
２４    拡径部分
２５    フランジ部
２６    外気導入口
２７    スペーサリブ
３０    プリフォーム組立体
３１    外プリフォーム
３１ａ  延伸部
３２    内プリフォーム
３２ａ  延伸部
４０    キャップ本体
４１    頂壁
４２    側壁
４３    吐出口
４４    通気口
４５    係止突起
４６    縦リブ
４６ａ  食込み部
５０    蓋体
５１    ヒンジ
５２    天壁
５３    栓部材
５４    円筒状突起
５５    係止溝
６０    中栓
６１    閉塞壁
６２    係合壁
６３  回り止め部
６４    流出孔
６５    筒状壁
６５ａ  シール部
６６    通気用開口
６７    弁体保持壁
６８    弁体
７０    逆止弁
７１    弁本体
７２    脚部
７３    区画壁
７４    空気用逆止弁
Ｏ    軸心
Ｓ    収容空間
Ｐ１    下側外気流通路
Ｐ２    内容物の流路
Ｐ３    上側外気流通路
【図１】
2020055553.tif 000003
【図２】
2020055553.tif 000004
【図３】
2020055553.tif 000005
【図４】
2020055553.tif 000006